(57)【要約】      （修正有）【課題】従来の茶こし部やフィルタ等のような複雑な構造を必要とすることなく、単純な構造でお茶等を濾す機能を発揮できる組立て式急須を提供する。【解決手段】組立て式急須は、防水性の本体シートを折り畳むことにより組み立てられ、上面が開放されると共に内部に液体を貯留可能な容器本体２と、容器本体上に取り付けられ、上面を覆う蓋３と、を備える。容器本体は、底面と、底面から立ち上がる一対の側面５および一対の端面６と、底面と少なくとも一方の端面６の上端縁１１との間に形成された傾斜面とを有する。上端縁１１と蓋の端縁１８との間には、液体の注ぎ口Ｃとしての隙間が形成される。【選択図】図１
0003224826.tif 000002
【実用新案登録請求の範囲】
【請求項１】
防水性の本体シートを折り畳むことにより組み立てられ、上面が開放されると共に内部に液体を貯留可能な容器本体と、
前記容器本体上に取り付けられ、前記上面を覆う蓋と、を備え、
前記容器本体は、底面と、底面から立ち上がる一対の側面および一対の端面と、前記底面と少なくとも一方の前記端面の上端縁との間に形成された傾斜面とを有し、
前記上端縁と前記蓋の端縁との間には、前記液体の注ぎ口としての隙間が形成されている、組立て式急須。
【請求項２】
前記蓋の前記端縁は、ギザギザ形状、波形状、または櫛歯形状に形成されている、請求項１に記載の組立て式急須。
【請求項３】
前記容器本体の前記端面の前記上端縁は、Ｖ字形状の先端部を含み、
前記蓋は、前記先端部上に位置するように配置されて、前記端面から離れる方向に突出する突出片を有する、請求項１または２に記載の組立て式急須。
【考案の詳細な説明】
【技術分野】
【０００１】
本考案は、組立て式急須に関する。
【背景技術】
【０００２】
従来、特許文献１，２に記載されるように、お茶等の飲料を抽出するための抽出装置または抽出容器であって、防水性の紙材からなる容器を備えたものが知られている。これらの容器は三角錐状、直方体状、または円筒状をなしており、容器の壁面には、飲料液を注ぐ際に茶こし部またはフィルタとして機能する小穴集合体、メッシュ帯、または網等が設けられる。
【先行技術文献】
【特許文献】
【０００３】
【特許文献１】特開２００１−６１６２９号公報
【特許文献２】特開２０１３−１８８４６９号公報
【考案の概要】
【考案が解決しようとする課題】
【０００４】
上記した従来の容器は、折り畳むことができるようになっている。しかしながら、紙製の容器に茶こし部（穴部）やフィルタのような複雑な構造を必要とする。お茶等の飲料を手軽に楽しめるようにするためには、より単純な構造の組立て式急須が望ましい。
【０００５】
本考案は、従来の茶こし部やフィルタ等のような複雑な構造を必要とすることなく、単純な構造でお茶等を濾す機能を発揮できる組立て式急須を提供することを目的とする。
【課題を解決するための手段】
【０００６】
本考案の一態様は、防水性の本体シートを折り畳むことにより組み立てられ、上面が開放されると共に内部に液体を貯留可能な容器本体と、容器本体上に取り付けられ、上面を覆う蓋と、を備え、容器本体は、底面と、底面から立ち上がる一対の側面および一対の端面と、底面と少なくとも一方の端面の上端縁との間に形成された傾斜面とを有し、上端縁と蓋の端縁との間には、液体の注ぎ口としての隙間が形成されている。
【０００７】
この組立て式急須の容器本体は、本体シートを折り畳むことにより組み立てられるので、最初は薄くコンパクトであるが、立体形状に組み立てることが容易である。そして、お茶等の飲料が容器本体に貯留され、貯留された飲料は、傾斜面上を通って、端面の上端縁に形成された注ぎ口としての隙間から容器本体の外部に流出する。容器本体に取り付けられた蓋の端縁によって、容器本体の内部に収容された茶葉等の流出は防止される。よって、傾斜面を有する容器本体と隙間を形成する蓋とによって、お茶等の飲料を注ぎつつ、茶葉などを濾すことができる。本考案の組立て式急須によれば、従来の茶こし部やフィルタ等のような複雑な構造を必要とすることなく、単純な構造でお茶等を濾す機能を発揮できる。
【０００８】
蓋の端縁は、ギザギザ形状、波形状、または櫛歯形状に形成されていてもよい。この場合、蓋の端縁によって茶葉などの流出を防止しつつ、飲料をスムーズに注ぐことができる。
【０００９】
容器本体の端面の上端縁は、Ｖ字形状の先端部を含み、蓋は、先端部上に位置するように配置されて、端面から離れる方向に突出する突出片を有してもよい。この場合、飲料が先端部に案内され、先端部から流出しやすい。さらには飲料が突出片を伝わるので、注がれる飲料は細い形状となり、湯飲み等の容器に飲料をうまく注ぎ入れることができる。
【考案の効果】
【００１０】
本考案によれば、従来の茶こし部やフィルタ等のような複雑な構造を必要とすることなく、単純な構造でお茶等を濾す機能を発揮できる。
【図面の簡単な説明】
【００１１】
【図１】本考案の一実施形態に係る組立て式急須を示す斜視図である。
【図２】図２（ａ）は組立て前の蓋を示す平面図、図２（ｂ）は組立て前の蓋を示す平面図である。
【図３】図１の組立て式急須を示す分解斜視図である。
【図４】図４（ａ）は組立て式急須内に茶葉とお湯を入れた状態を示す図、図４（ｂ）は組立て式急須を用いて湯飲みにお茶を注ぐ状態を示す図である。
【考案を実施するための形態】
【００１２】
以下、本考案の実施形態について、図面を参照しながら詳細に説明する。なお、図面の説明において、同一の要素同士、或いは、相当する要素同士には、互いに同一の符号を付し、重複する説明を省略する場合がある。
【００１３】
図１〜図３を参照して、本実施形態の組立て式急須１の構造について説明する。以下の詳細な説明において、組立て式急須１を単に「急須１」と称する。急須１は、簡易にお茶などの飲料を抽出するための抽出道具である。急須１は、飲料（液体）を貯留可能な容器本体２と、容器本体２の上面を覆うようにして容器本体２の上面上に取り付けられる蓋３とを備える。容器本体２および蓋３は、いずれも、たとえば牛乳パック等に用いられるのと同様の防水性の紙材からなる。容器本体２は、防水性の本体シート４０（図２（ａ）参照）を折り畳むことにより組み立てられており、使用者が片手で容易に持てる程度の大きさを有する。急須１は、組み立てられる前（たとえば販売時など）には、平坦な容器本体２と平坦な蓋３からなり、本体シート２枚分の厚みからなるコンパクトな状態である。
【００１４】
図１および図３に示されるように、容器本体２は、矩形でかつ平坦な底面４と、底面４から立ち上がる一対の側面５および一対の端面６とを備え、直方体状あるいは舟形状を呈している。側面５および端面６は、底面４に対して垂直に形成されているが、垂直に限られない。容器本体２の上面は開放されている。側面５の上縁７および端面６の上端縁１１は略同じ高さに配置されている。側面５の上縁７および端面６の上端縁１１よりも低い位置には孔等が一切存在せず、これによって、容器本体２は、液体が漏れないような構造を有している。容器本体２は、底面４と側面５と端面６とによって囲まれた内部空間に、水やお湯等の液体を貯留可能であり、かつ、液体は、底面４が水平に保たれた状態（容器本体２の全体が水平に保たれた状態）で、液体は容器本体２からこぼれ出ることがない。
【００１５】
蓋３は、容器本体２上に載置されるようにして、容器本体２に取り付けられている。蓋３の天面部１３は、（後述する谷折りラインＬにより若干立体的ではあるが）全体として略平坦であり、容器本体２の上面の開放部に略対応する形状を有している。蓋３の一対の側縁１４における中央部に形成された第１タブ１５Ａおよび第２タブ１５Ｂが、容器本体２の側面５の上縁７における中央部に形成された一対のスリット９に挿入されることで、蓋３は容器本体２に取り付けられる。蓋３の一対の側縁１４は、容器本体２の一対の上縁７よりも僅かに外方に張り出している。これにより、急須１を用いる使用者の指が、蓋３の側縁１４に引っ掛かりやすくなっている。蓋３は開閉自在である。
【００１６】
図２（ａ）に示されるように、第１タブ１５Ａの形状と第２タブ１５Ｂの形状は若干異なる。第１タブ１５Ａが台形状でありその根元部（下底部）に斜めの一対の切込みが形成されていることで、第１タブ１５Ａおよびスリット９によって構成された第１係合部２０Ａにおける係合強さは、第２タブ１５Ｂおよびスリット９によって構成された第２係合部２０Ｂにおける係合強さよりも大きくなっている。言い換えれば、第２タブ１５Ｂの方が、第１タブ１５Ａよりもスリット９から抜き取りやすい。第２タブ１５Ｂは矩形状であり、スリット９から比較的容易に抜き取ることができる。使用者は、蓋３の側縁１４に指を引っ掛け、第２タブ１５Ｂをスリット９から引き抜いて側縁１４を持ち上げ、蓋３を開くことができる（図４（ａ）参照）。なお、第２タブ１５Ｂの根元部には、蓋３の天面部１３が一部切り抜かれるようにしてつまみ部１６が形成されている。使用者は、このつまみ部１６を指先でつまんで、蓋３を持ち上げてもよい。つまみ部１６が切り抜かれた後の抜き穴１７は、急須１の内外を連通させる空気抜きとして機能し得る。
【００１７】
図３に示されるように、容器本体２は、底面４と、両方の端面６，６の上端縁１１，１１との間に形成された傾斜面１０，１０を有する。各傾斜面１０は、底辺が底面４に接する二等辺三角形の第１面と、その第１面の２つの斜辺にそれぞれ接する四角形の２つの第２面とを含む。これらの面は、本体シート４０の折畳み形状に基づいて形成されている。これらの面は、水平面（底面４を含む面）に対して、面ごとに異なる傾斜角を有してもよいが、一定の傾斜角を有してもよい。これらの傾斜面１０の上端縁が、端面６の上端縁１１に一致しており（共有化されており）、容器本体２に貯留された液体は、傾斜面１０を通って上端縁１１から越流する。上端縁１１は、Ｖ字形状に尖った先端部８を含み、この先端部８が、液体の流出を容易にする。なお、本実施形態では対称な形状で、一対の傾斜面１０が形成されているが、いずれか一方の端部のみに傾斜面１０および上端縁１１が形成されてもよい。
【００１８】
図１に示されるように、蓋３の天面部１３の両端には、ギザギザ形状を有する端縁１８，１８が形成されている。そして、上端縁１１，１１と端縁１８，１８との間には、液体の注ぎ口Ｃとしての隙間が形成されている。この隙間の大きさは、容器本体２内に投入される飲料の抽出原料Ｄ（お茶であれば、茶葉や、茶葉を収納したバッグ等）の流出を防止し得る程度の大きさに設定されている。端縁１８の形状は、抽出原料Ｄの流出を防止すると共に液体のスムーズな流出を許容できる形状であればよく、ギザギザ形状以外であってもよい。たとえば、端縁１８は、波形状に形成されてもよいし、櫛歯形状に形成されてもよい。
【００１９】
さらに、蓋３は、天面部１３の両側に形成されて、上記した容器本体２のＶ字形状の先端部８上に位置するように配置された突出片１９，１９を有する。各突出片１９は、端面６から離れる方向に所定長さだけ突出している。突出片１９は、上端縁１１を越流する飲料（液体）を案内する。突出片１９が先端部８に対応する位置に形成されることで、飲料の流出および案内がスムーズに行われる。天面部１３の中央および突出片１９，１９を通る位置に、僅かに谷折りとされる谷折りラインＬが形成されてもよい。
【００２０】
続いて、図２を参照して、急須１の製造方法（組立て方法）について説明する。図２（ａ）および図２（ｂ）に示されるように、蓋３、および、容器本体２の元となる本体シート４０は、いずれも平面状である。蓋３に関しては、第１タブ１５Ａおよび第２タブ１５Ｂが、天面部１３に対して下方に向けて折り曲げられる。また蓋３全体が、谷折りラインＬにおいて僅かに谷折りされる。なお、本明細書における「山折り」「谷折り」との用語は、蓋３および本体シート４０を平面視した状態を基準として用いられる。各図中において、「山折り」は一点鎖線で示され、「谷折り」は破線で示される。
【００２１】
図２（ｂ）に示されるように、本体シート４０は、底面４に対応する底面形成部２４、側面５に対応する側面形成部２５、端面６に対応する先端面形成部２６、上縁７に対応する上縁形成部２７、先端部８に対応する先端部形成部２８、および、傾斜面１０に対応する傾斜面形成部３０を有する。上縁形成部２７の中央部には、スリット９が形成されている。本体シート４０において、四隅の位置に設けられた結合片２１のうちの２つずつを、切込み２１ａ同士を上下方向に差し込むようにして、傾斜面形成部３０の外側（傾斜面形成部３０と先端面形成部２６との間）で結合させる。２つの結合片２１が結合した部分と傾斜面形成部３０との間に、内側に折り返された折返し片２２を挿入する。これらの組立て作業により、図３に示される立体形状の容器本体２が容易に形成される。
【００２２】
組立て式急須１の使用方法について図４を参照して説明すると、まず図４（ａ）に示されるように、容器本体２の片方のスリット９に第１タブ１５Ａ（側面５内に隠れて見えない）を挿入した状態で、容器本体２をテーブル上等に置く。容器本体２内に抽出原料である茶葉等を入れ、さらにお湯等を入れる。その後、第２タブ１５Ｂをもう片方のスリット９に挿入し、蓋３で容器本体２を覆う。飲料の抽出後、図４（ｂ）に示されるように、使用者は急須１を持って全体を傾け、湯飲み等の容器Ｅに飲料を注ぐ。この際、指を軽く側面５と天面部１３に添えるようにしてもよい。お茶などの飲料は、上端縁１１の先端部８付近の注ぎ口Ｃから越流し、突出片１９を伝って流出する。茶葉をバッグに収納せずに容器本体２に入れていた場合に、蓋３を開け、容器本体２をそのまま皿のようにして用いて、ニボシ等を追加し必要に応じて醤油等で味付けして茶葉を食べることもできる。
【００２３】
本実施形態の急須１の容器本体２は、本体シート４０を折り畳むことにより組み立てられるので、最初は薄くコンパクトであるが、立体形状に組み立てることが容易である。そして、お茶等の飲料が容器本体２に貯留され、貯留された飲料は、傾斜面１０上を通って、端面６の上端縁１１に形成された注ぎ口Ｃとしての隙間から外部に流出する。容器本体２に取り付けられた蓋３の端縁１８によって、容器本体２の内部に収容された茶葉等の流出は防止される。よって、傾斜面１０を有する容器本体２と隙間を形成する蓋３とによって、お茶等の飲料を注ぎつつ、茶葉などを濾すことができる。本考案の急須１によれば、従来の茶こし部やフィルタ等のような複雑な構造を必要とすることなく、単純な構造でお茶等を濾す機能を発揮できる。
【００２４】
蓋３の端縁１８がギザギザ形状等に形成されているので、蓋３の端縁１８によって茶葉などの流出を防止しつつ、飲料をスムーズに注ぐことができる。
【００２５】
また、飲料が容器本体２の先端部８に案内され、先端部８から流出しやくなっている。さらには飲料が蓋３の突出片１９を伝わるので、注がれる飲料は突出片１９に案内されて細い形状となり、湯飲み等の容器Ｅに飲料をうまく注ぎ入れることができる。
【００２６】
第１係合部２０Ａと第２係合部２０Ｂの係合強さが異なるので、蓋３を容易に開けることができる一方、第１係合部２０Ａの係合強さのおかげで蓋３は脱落しにくくなっている。
【００２７】
以上、本考案の実施形態について説明したが、本考案は上記実施形態に限定されるものではない。蓋３の端縁１８の形状が直線状または弧状等の曲線状であってもよい。上端縁１１においてＶ字形状の先端部８が省略されてもよい。突出片１９が省略されてもよい。２箇所に注ぎ口Ｃが設けられず、１箇所のみに注ぎ口Ｃが設けられてもよい。
【符号の説明】
【００２８】
１…急須（組立て式急須）、２…容器本体、３…蓋、４…底面、５…側面、６…端面、７…上縁、８…先端部、９…スリット、１０…傾斜面、１１…上端縁、１３…天面部、１４…側縁、１５Ａ…第１タブ、１５Ｂ…第２タブ、１６…つまみ部、１７…抜き穴、１８…端縁、１９…突出片、２０Ａ…第１係合部、２０Ｂ…第２係合部、４０…本体シート、Ｃ…注ぎ口。
【図１】
0003224826.tif 000003
【図２】
0003224826.tif 000004
【図３】
0003224826.tif 000005
【図４】
0003224826.tif 000006